(57)【要約】【課題】購入した中古パソコンの機能等がホームページで確認した内容に相違せず、売手ユーザのプライベート情報が買手ユーザに漏れることがない。【解決手段】中古パソコンの売却を希望する売手ユーザの端末２ａ〜２ｂ及び中古パソコンの購入を希望する買手ユーザの端末３ａ〜３ｂが接続されるサーバ装置１ａは、売手ユーザの売却対象の中古パソコン上で動作させることで、売却対象の中古パソコンの機器情報を売却対象の中古パソコンから取得できるパソコン機器情報取得プログラムを有し、売手ユーザが売却対象の中古パソコンの売買の仲介時に登録に用いる売却中古パソコンの機器情報を取得するときに、端末２ａ〜２ｂを使用して上記プログラムをサーバ装置１ａからダウンロードして売却中古パソコンの機器情報を取得し、かつ、購入された中古パソコンは買手ユーザに配送される前に、入力されているデータを初期化する。【選択図】　　　図１
2004046710.tif 000002
【特許請求の範囲】
【請求項１】
通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコン売買仲介システムにおいて、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを前記通信ネットワーク上に設け、前記売手ユーザが前記売却対象の中古パソコンの売買の仲介時の登録の際に用いる前記売却対象の中古パソコンの機器情報として、あらかじめ前記サーバからダウンロードした前記パソコン機器情報取得プログラムにより取得しておいた機器情報を使用し、かつ、前記売却対象の中古パソコンは、前記売却対象の中古パソコンを購入する前記買手ユーザに配送される前に、前記中古パソコンに入力されているデータを初期化する処置を行ってから配送されることを特徴とする中古パソコン売買仲介システム。
【請求項２】
通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコン売買仲介システムにおいて、前記通信ネットワーク上に、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを設け、前記サーバは、前記サーバから前記売手ユーザの前記ユーザ端末にダウンロードされた前記パソコン機器情報取得プログラムにより取得した機器情報を含む売却パソコン情報を前記売手ユーザの前記ユーザ端末から入力され、前記売却パソコン情報をデータベースに格納して登録し、中古パソコンの購入を希望する買手ユーザが前記買手ユーザのユーザ端末から、前記データベースに格納された前記売却パソコン情報を検索して自分が購入を希望する中古パソコンを検索して前記サーバに購入手続を入力し、かつ、前記売却対象の中古パソコンは、前記売却対象の中古パソコンを購入する前記買手ユーザに配送される前に、前記中古パソコンに入力されているデータを初期化する処置を行ってから配送されることを特徴とする中古パソコン売買仲介システム。
【請求項３】
通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコン売買仲介システムにおいて、前記通信ネットワーク上に、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを設け、前記サーバは、前記買手ユーザが購入を希望する中古パソコンの機器情報を含む購入パソコン情報を前記買手ユーザの前記ユーザ端末から入力されて前記購入パソコン情報をデータベースに格納して登録し、中古パソコンの売却を希望する売手ユーザが前記売手ユーザのユーザ端末を使用して、前記データベースに格納された前記購入パソコン情報を検索して前記売手ユーザが売却を希望する相手としての中古パソコンの購入者を検索し、さらに前記パソコン機器情報取得プログラムを使用して前記売手ユーザが売却を希望する中古パソコンの機器情報を取得して取得した前記中古パソコンの機器情報を含む売却パソコン情報をパソコン売却申込情報として前記売手ユーザのユーザ端末から入力し、かつ、前記売却対象の中古パソコンは、前記売却対象の中古パソコンを購入する前記買手ユーザに配送される前に、前記中古パソコンに入力されているデータを初期化する処置を行ってから配送されることを特徴とする中古パソコン売買仲介システム。
【請求項４】
通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコン売買仲介システムにおける仲介方法において、前記通信ネットワーク上に、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを設け、（Ａ）前記売手ユーザが前記ユーザ端末により前記中古パソコン機器情報取得プログラムを前記サーバから前記売手ユーザのユーザ端末にダウンロードする第１の手順、（Ｂ）前記売手ユーザが前記第１の手順でダウンロードした前記中古パソコン機器情報取得プログラムを使用して売却対象の中古パソコンの機器情報を取得する第２の手順、（Ｃ）前記売手ユーザが売却を希望する中古パソコンの、前記第２の手順で取得した機器情報を含む売却パソコン情報を前記売手ユーザの前記ユーザ端末から入力し前記サーバに登録する第３の手順、（Ｄ）前記買手ユーザが前記買手ユーザのユーザ端末を使用して前記売却パソコン情報の検索を行う第４の手順、（Ｅ）前記第４の手順で検索した、前記買手ユーザが購入を希望する中古パソコンを対象として、前記買手ユーザが前記ユーザ端末により売却中古パソコンの購入の申込みを前記サーバに登録する第５の手順、（Ｆ）前記サーバが前記第１の手順で前記売却パソコン情報を登録した前記売手ユーザの中古パソコンに対する購入者としての決定を行う第６の手順、（Ｇ）前記第６の手順で決定した購入者の中古パソコンの買手ユーザへの売手ユーザからの引渡し及びその代金の支払い処理を行う第７の手順、を有し、前記売却対象の中古パソコンは、前記売却対象の中古パソコンを購入する前記買手ユーザに配送される前に、前記中古パソコンに入力されているデータを初期化する処置を行ってから配送されることを特徴とする中古パソコン売買仲介システムにおける仲介方法。
【請求項５】
通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコン売買仲介システムにおける仲介方法において、前記通信ネットワーク上に、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを設け、（Ａ）前記買手ユーザが購入を希望する中古パソコンの機器情報を含む購入パソコン情報を前記買手ユーザの前記ユーザ端末から入力し前記サーバのデータベースに登録する第１の手順、（Ｂ）前記売手ユーザが前記売手ユーザのユーザ端末を使用して、前記購入パソコン情報が登録されたデータベースで自己の中古パソコンと同じか同等のパソコンの検索を行う第２の手順、（Ｃ）前記売手ユーザが前記ユーザ端末により前記中古パソコン機器情報取得プログラムを前記サーバから前記売手ユーザのユーザ端末にダウンロードを行う第３の手順、（Ｄ）前記売手ユーザが前記第３の手順でダウンロードした前記中古パソコン機器情報取得プログラムを使用して売却対象の中古パソコンの機器情報を取得する第４の手順、（Ｅ）前記売手ユーザが前記第４の手順で取得した機器情報を含む売却パソコン情報を前記サーバに入力し、前記第２の手順で検索した中古パソコンに該当するパソコンとして、自分の中古パソコンの売却の申込みを前記サーバに登録する第５の手順、（Ｆ）第５の手順での中古パソコンの売却の申込みに対して、前記サーバが前記第１の手順で前記購入パソコン情報を登録された前記買手ユーザに対する売却者の決定を行う第６の手順、（Ｇ）前記第６の手順決定した売却者の中古パソコンの売手ユーザから買手ユーザへの引渡し及びその代金の支払い処理を行う第７の手順、を有し、前記売却対象の中古パソコンは、前記売却対象の中古パソコンを購入する前記買手ユーザに配送される前に、前記中古パソコンに入力されているデータを初期化する処置を行ってから配送されることを特徴とする中古パソコン売買仲介システムにおける仲介方法。
【請求項６】
請求項１、請求項２又は請求項３の中古パソコン売買仲介システムにおいて、前記機器情報は前記中古パソコンの製造メーカ、機種名、主要な機能・性能、機器構成及び付属品を示す情報であることを特徴とする中古パソコン売買仲介システム。
【請求項７】
請求項４又は請求項５の中古パソコン売買仲介システムにおける仲介方法において、前記機器情報は前記中古パソコンの製造メーカ、機種名、主要な機能・性能、機器構成及び付属品を示す情報であることを特徴とする中古パソコン売買仲介システムにおける仲介方法。
【発明の詳細な説明】
【０００１】
【発明の属する技術分野】
本発明は中古パソコン売買仲介システム及びその方法に関し、特に通信ネットワーク上で行われる中古パソコン売買仲介システム及びその方法に関する。
【０００２】
【従来の技術】
従来の中古パソコン売買仲介システム及びその方法では、一般的には、個人ユーザが中古パソコンを売却する場合、中古パソコンを売却しようとする上記個人ユーザが、直接売却しようとする中古パソコンを中古パソコンの買取り業者の店頭に持って行って業者の査定値段で買取ってもらい、中古パソコンを買取った業者が、その中古パソコンに設定されているデータを初期化して、中古パソコンを買いに来た客に店頭で販売するという方法で中古パソコンの売買が行われてきた。
【０００３】
しかし、業者が中古パソコンを買取ってから再販売する上記の売買方法では、パソコンの商品ライフサイクルが短かいため、買取ったパソコンが不良在庫になって発生する保管費用が経営を圧迫する恐れがあった。
【０００４】
近年は、特開２００１−３２５４８２号公報、あるいは特開２００２−７７６６号公報に示されているように、ネットワークを利用した商品の売買仲介方法が開発されており、この商品売買仲介方法は下記に述べるように、上述した店頭での中古パソコン売買の場合と異なり、売買仲介業者には販売対象商品の不良在庫問題は発生せず、不良在庫による保管費用に関しては問題のない方法である。このような方法で、個人ユーザ（売手ユーザ）が例えば、中古パソコンを売却する場合には、売手ユーザであるその個人ユーザは、インターネットを利用して、インターネット上に設けられた、商品売買の仲介業者のＷｅｂページにアクセスし、前記仲介業者によって設けられたサーバに、売却しようとしている中古パソコンについての売却価格や性能等に関する情報を登録し、その仲介業者のＷｅｂページ上で公開してもらうことにより、買手のユーザが現れるのを待って売却することができるようになってきている。
【０００５】
また、中古パソコンの上記売手ユーザである個人ユーザの場合と同様に、中古パソコンを購入しようとする個人の買手ユーザの場合も、インターネットを利用して、上記仲介業者によって設けられたサーバに、購入しようとしている中古パソコンについての購入価格や性能等に関する情報を登録し、その中古パソコンの仲介業者のホームページ上で公開してもらうことにより、売手ユーザが現れるのを待って購入することができるようになってきている。
【０００６】
上記のように、売手ユーザあるいは買手ユーザが仲介業者のサーバに登録して買手ユーザあるいは売手ユーザを待つのではなく、特開２００１−３０６８５６号公報に示されているように、インターネット上で商品の売手ユーザが、Ｗｅｂページなどを活用して売却しようとする商品情報を提示し、それを見た購入希望者である買手ユーザの中から最っとも高い値段を提示した買手ユーザが売手ユーザから選択されてその商品を購入するという方法、すなわち、インターネットを介して複数のユーザ端末と接続され、ユーザ端末を介して売手ユーザからの商品情報と買手ユーザからの購入条件を受け付けて行われるオークションによる商品の売買も行われており、このようなオークションによる中古パソコンの売買も可能になっている。
【０００７】
【発明が解決しようとする課題】
上述した従来の中古パソコン売買仲介システム及びその方法では、購入した中古パソコンの実物に買手ユーザが接して見て、初めて、購入した中古パソコンの実物の機能・性能等が、仲介業者のＷｅｂで確認した機能・性能等と相違していることに気付くというようなトラブルが発生することがあるという欠点を有していた。
【０００８】
また、売手ユーザが気が付かずに、中古パソコンに入力されているデータの初期化をすることなく業者または買手ユーザに売却してしまい、さらに、売手ユーザから買取った業者も中古パソコンを買い取った後、その中古パソコンに入力されているデータの初期化を行うことなく店頭に並べて再販売してしまうようなときには、上記売手ユーザのプライベート情報が中古パソコンを購入した買手ユーザに漏れて、売手ユーザのプライバシーが侵されてしまうような恐れがあるという欠点を有していた。
【０００９】
本発明の目的は、上記の諸問題を解決するため、買手ユーザが購入した中古パソコンの実物の機能・性能等が仲介業者のホームページで確認した機能・性能に相違するようなことがなく、また、買手ユーザに売手ユーザのプライベート情報が漏れるような事態を防ぐことができる中古パソコン売買仲介システム及びその方法を提供することにある。
【００１０】
【課題を解決するための手段】
第１の発明の中古パソコン売買仲介システムは、通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコン売買仲介システムにおいて、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを前記通信ネットワーク上に設け、前記売手ユーザが前記売却対象の中古パソコンの売買の仲介時の登録の際に用いる前記売却対象の中古パソコンの機器情報として、あらかじめ前記サーバからダウンロードした前記パソコン機器情報取得プログラムにより取得しておいた機器情報を使用し、かつ、前記売却対象の中古パソコンは、前記売却対象の中古パソコンを購入する前記買手ユーザに配送される前に、前記中古パソコンに入力されているデータを初期化する処置を行ってから配送されることを特徴として構成される。
【００１１】
また、第２の発明の中古パソコン売買仲介システムは、通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコン売買仲介システムにおいて、前記通信ネットワーク上に、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを設け、前記サーバは、前記サーバから前記売手ユーザの前記ユーザ端末にダウンロードされた前記パソコン機器情報取得プログラムにより取得した機器情報を含む売却パソコン情報を前記売手ユーザの前記ユーザ端末から入力され、前記売却パソコン情報をデータベースに格納して登録し、中古パソコンの購入を希望する買手ユーザが前記買手ユーザのユーザ端末から、前記データベースに格納された前記売却パソコン情報を検索して自分が購入を希望する中古パソコンを検索して前記サーバに購入手続を入力し、かつ、前記売却対象の中古パソコンは、前記売却対象の中古パソコンを購入する前記買手ユーザに配送される前に、前記中古パソコンに入力されているデータを初期化する処置を行ってから配送されることを特徴として構成される。
【００１２】
また、第３の発明の中古パソコン売買仲介システムは、通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコン売買仲介システムにおいて、前記通信ネットワーク上に、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを設け、前記サーバは、前記買手ユーザが購入を希望する中古パソコンの機器情報を含む購入パソコン情報を前記買手ユーザの前記ユーザ端末から入力されて前記購入パソコン情報をデータベースに格納して登録し、中古パソコンの売却を希望する売手ユーザが前記売手ユーザのユーザ端末を使用して、前記データベースに格納された前記購入パソコン情報を検索して前記売手ユーザが売却を希望する相手としての中古パソコンの購入者を検索し、さらに前記パソコン機器情報取得プログラムを使用して前記売手ユーザが売却を希望する中古パソコンの機器情報を取得して取得した前記中古パソコンの機器情報を含む売却パソコン情報をパソコン売却申込情報として前記売手ユーザのユーザ端末から入力し、かつ、前記売却対象の中古パソコンは、前記売却対象の中古パソコンを購入する前記買手ユーザに配送される前に、前記中古パソコンに入力されているデータを初期化する処置を行ってから配送されることを特徴として構成される。
【００１３】
また、第４の発明の中古パソコン売買仲介システムにおける仲介方法は、通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコンの売買仲介方法において、前記通信ネットワーク上に、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを設け、（Ａ）前記売手ユーザが前記ユーザ端末により前記中古パソコン機器情報取得プログラムを前記サーバから前記売手ユーザのユーザ端末にダウンロードする第１の手順、（Ｂ）前記売手ユーザが前記第１の手順でダウンロードした前記中古パソコン機器情報取得プログラムを使用して売却対象の中古パソコンの機器情報を取得する第２の手順、（Ｃ）前記売手ユーザが売却を希望する中古パソコンの、前記第２の手順で取得した機器情報を含む売却パソコン情報を前記売手ユーザの前記ユーザ端末から入力し前記サーバに登録する第３の手順、（Ｄ）前記買手ユーザが前記買手ユーザのユーザ端末を使用して前記売却パソコン情報の検索を行う第４の手順、（Ｅ）前記第４の手順で検索した、前記買手ユーザが購入を希望する中古パソコンを対象として、前記買手ユーザが前記ユーザ端末により売却中古パソコンの購入の申込みを前記サーバに登録する第５の手順、（Ｆ）前記サーバが前記第１の手順で前記売却パソコン情報を登録した前記売手ユーザの中古パソコンに対する購入者としての決定を行う第６の手順、（Ｇ）前記第６の手順で決定した購入者の中古パソコンの買手ユーザへの売手ユーザからの引渡し及びその代金の支払い処理を行う第７の手順、を有し、前記売却対象の中古パソコンは、前記売却対象の中古パソコンを購入する前記買手ユーザに配送される前に、前記中古パソコンに入力されているデータを初期化する処置を行ってから配送されることを特徴として構成される。
【００１４】
また、第５の発明の中古パソコン売買仲介システムにおける仲介方法は、通信ネットワークを介して複数のユーザ端末と接続され、前記ユーザ端末を使用して中古パソコンの売却を希望する売手ユーザと中古パソコンの購入を希望する買手ユーザとの間の売買を仲介する中古パソコンの売買仲介方法において、前記通信ネットワーク上に、前記売却対象の中古パソコン上で動作させることにより売却対象の中古パソコンの機器情報を前記売却対象の中古パソコンから取得するためのパソコン機器情報取得プログラムを格納するプログラム格納手段と、前記パソコン機器情報取得プログラムを前記プログラム格納手段から読出して前記ユーザ端末にダウンロードするプログラムダウンロード手段とを備えたサーバを設け、（Ａ）前記買手ユーザが購入を希望する中古パソコンの機器情報を含む購入パソコン情報を前記買手ユーザの前記ユーザ端末から入力し前記サーバのデータベースに登録する第１の手順、（Ｂ）前記売手ユーザが前記売手ユーザのユーザ端末を使用して、前記購入パソコン情報が登録されたデータベースで自己の中古パソコンと同じか同等のパソコンの検索を行う第２の手順、（Ｃ）前記売手ユーザが前記ユーザ端末により前記中古パソコン機器情報取得プログラムを前記サーバから前記売手ユーザのユーザ端末にダウンロードを行う第３の手順、（Ｄ）前記売手ユーザが前記第３の手順でダウンロードした前記中古パソコン機器情報取得プログラムを使用して売却対象の中古パソコンの機器情報を取得する第４の手順、（Ｅ）前記売手ユーザが前記第４の手順で取得した機器情報を含む売却パソコン情報を前記サーバに入力し、前記第２の手順で検索した中古パソコンに該当するパソコンとして、自分の中古パソコンの売却の申込みを前記サーバに登録する第５の手順、（Ｆ）第５の手順での中古パソコンの売却の申込みに対して、前記サーバが前記第１の手順で前記購入パソコン情報を登録された前記買手ユーザに対する売却者の決定を行う第６の手順、（Ｇ）前記第６の手順決定した売却者の中古パソコンの売手ユーザから買手ユーザへの引渡し及びその代金の支払い処理を行う第７の手順、を有し、前記売却対象の中古パソコンは、前記売却対象の中古パソコンを購入する前記買手ユーザに配送される前に、前記中古パソコンに入力されているデータを初期化する処置を行ってから配送されることを特徴として構成される。
【００１５】
また、第６の発明の中古パソコン売買仲介システムは、第１の発明、第２の発明又は第３の発明の中古パソコン売買仲介システムにおいて、前記機器情報は前記中古パソコンの製造メーカ、機種名、主要な機能・性能、機器構成及び付属品を示す情報であることを特徴として構成される。
【００１６】
また、第７の発明の中古パソコンの売買仲介方法は、第４の発明又は第５の発明の中古パソコンの売買仲介方法において、前記機器情報は前記中古パソコンの製造メーカ、機種名、主要な機能・性能、機器構成及び付属品を示す情報であることを特徴として構成される。
【００１７】
【発明の実施の形態】
次に、本発明の実施の形態について図面を参照して説明する。
【００１８】
図１は、本発明の中古パソコン売買仲介システムの第１の実施の一形態を示すブロック図である。
【００１９】
最初に、図１に示す第１の実施の形態の中古パソコン売買仲介システムについて説明する。
【００２０】
図１に示す中古パソコン売買仲介システムは、売買の仲介業者が管理するサーバ装置１ａと、不要になった中古パソコンを所持し、この中古パソコンの売却を希望してサーバ装置１ａに登録するユーザ（売手ユーザ）が、インターネット４（通信ネットワーク）を介して上記サーバ装置１ａにアクセスするために使用する複数の端末２ａ〜２ｂと、売手ユーザにより売却のためにサーバ装置１ａに登録されている中古パソコンの購入を希望するユーザ（買手ユーザ）が、インターネット４を介して上記サーバ装置１ａにアクセスするために使用する複数の端末３ａ〜３ｂとを備えて構成される。
【００２１】
図１に示す中古パソコン売買仲介システムは、図１に示すインターネット４上に開設された仲介業者のＷｅｂホームページに、売手ユーザが売却したい中古パソコンを登録し、Ｗｅｂホームページ上で公開された売手ユーザの売却希望の上記中古パソコンの中から、買手ユーザが、購入しようと思っている中古パソコンと同じかあるいは同等のパソコンを検索により見つけ出し、見つけ出したその中古パソコンの購入の申込みを行うことで、仲介業者による中古パソコンの仲介取引が行われる。
【００２２】
図２は、図１に示すサーバ装置１ａの構成を示すブロック図である。
【００２３】
図２に示すサーバ装置１ａは、情報処理を行うＣＰＵ（セントラル・プロセッサ・ユニット）１１ａと、インターネット４とのインタフェース機能を有するインターネット・インタフェース部１２ａと、売手ユーザの端末２ａ〜２ｂ及び買手ユーザの端末３ａ〜３ｂからの登録情報を格納するデータベース１３ａと、端末２ａ〜２ｂにダウンロードされ、売手ユーザが売却しようとしている中古パソコンに搭載されて、中古パソコンに内蔵されているメモリに記憶されたその中古パソコンの機器情報を読み出すためのパソコン機器情報取得プログラムを格納するパソコン機器情報取得プログラム格納部１４とを備えて構成される。
【００２４】
また、ＣＰＵ１１ａは、図２に示すように、中古パソコンを売却しようとする売手ユーザの住所、氏名、連絡先などの個人情報と、売手ユーザが売却しようとしている中古パソコンの製造メーカ、機種名、主要な機能・性能、機器構成及び付属品等を示す機器情報と、売手ユーザが希望する売却価格を示す売却価格情報とを含む、売手ユーザの端末２ａ〜２ｂにより入力された情報を、売却パソコン情報としてデータベース１３ａに登録する売却パソコン情報登録部２１と、上記売手ユーザの売却中古パソコンの機器情報や売却価格情報を検索する売却パソコン情報検索部２２と、中古パソコンの購入を希望する買手ユーザの住所、氏名、連絡先などの個人情報と、買手ユーザが購入したいと思っている中古パソコンの製造メーカ、機種名、主要な機能・性能、機器構成及び付属品等を示す機器情報とを含む、買手ユーザにより入力された情報を、パソコン購入申込情報としてデータベース１３ａに登録するパソコン購入申込部２３と、中古パソコンの仲介取引の成立時に行われる、売買の仲介業者と売手ユーザ及び買手ユーザとの間の、中古パソコン代金の電子決済の手続処理を行うための代金決済手続処理部２４ａと、上記各部を制御し後述する図３及び図４に示す動作手順を制御する制御部２５ａとを備えて構成される。
【００２５】
上述したように、サーバ装置１ａは、パソコンで動作させることによって、そのパソコンの有する、上述した機器情報を出力させることができるプログラムであるパソコン機器情報取得プログラムを保持しているので、売手ユーザの端末２ａ〜２ｂからの要求によってサーバ装置１ａから売手ユーザの端末２ａ〜２ｂに上記プログラムをダウンロードすることができる。すなわち、売手ユーザは、端末２ａ〜２ｂによってサーバ装置１ａから上記パソコン機器情報取得プログラムをダウンロードし、売却しようとしている中古パソコンで動作させることで、サーバ装置１ａに登録する必要のある、売却希望の中古パソコンの機器情報を容易に取得することができる。
【００２６】
なお、上述したパソコン機器情報取得プログラムは、パソコン製造メーカの機種に対応して、また、パソコンに使用されているＯＳ（オペレーティング・システム）の違いに対応して複数種類のプログラムが用意される。
【００２７】
また、売手ユーザの端末２ａ〜２ｂと買手ユーザの端末３ａ〜３ｂは、インターネット４に接続が可能な市販のパソコンが使用される。
【００２８】
次に、動作を説明する。
【００２９】
図３及び図４は、図２に示すサーバ装置１ａを備えた中古パソコン売買仲介システムにおける中古パソコンの売買の仲介方法の手順を示す流れ図である。
【００３０】
図１に示す中古パソコン売買仲介システムにおいて、中古パソコンの仲介業者は、サーバ装置１ａにより中古パソコン売買のためのＷｅｂホームページをインターネット４上で開設してＷｅｂホームページに、中古パソコンの売手ユーザと買手ユーザとの間の売買仲介上の取り決め手順等の説明の閲覧画面を掲載し、さらに、売手ユーザに対するサービスとして、売手ユーザが売却しようとしている中古パソコンの機器情報を取得するためのパソコン機器情報取得プログラムについての説明の閲覧画面、そのパソコン機器情報取得プログラムをダウンロードする手順等の説明の閲覧画面、売手ユーザが中古パソコンの売却希望の登録をサーバ装置１ａに行うときに、売手ユーザが入力することを要求される、売手ユーザの個人情報や売却を希望する中古パソコンの機器情報及び売却価格情報等を含む売却パソコン情報についての説明の閲覧画面、及び売却中古パソコンのための登録手順等の説明の閲覧画面を掲載する。
【００３１】
また、中古パソコンの仲介業者は、中古パソコンの買手ユーザに対するサービスとして、売手ユーザから売却の希望があり中古パソコンとしてＷｅｂホームページに登録されているパソコンの情報の検索についての説明の閲覧画面、検索手順等の閲覧画面、買手ユーザが検索した中古パソコンの購入申込の登録をサーバ装置１ａに行うときに、買手ユーザが入力することを要求される、買手ユーザの個人情報、及び購入を希望する中古パソコンの機器情報を含むパソコン購入申込情報についての説明の閲覧画面、及び上記購入申込の登録手順等の説明の閲覧画面を掲載する（図３のＳ１：Ｓはステップを示す）。
【００３２】
ここで、端末２ａを所有するユーザが、所持している中古パソコンの売却を希望する売手ユーザであるものとする。この売手ユーザは、端末２ａを使用して仲介業者のＷｅｂホームページにアクセスし、Ｗｅｂホームページに掲載される中古パソコン売買仲介の案内画面を閲覧し（Ｓ２）、売却希望の中古パソコンの機器情報を取得するためのパソコン機器情報取得プログラムのダウンロード要求をサーバ装置１ａに行う（Ｓ３）。
【００３３】
売手ユーザの端末２ａからプログラムのダウンロード要求を受けたサーバ装置１ａの制御部２５ａは、パソコン機器情報取得プログラム格納部１４から、売手ユーザが指定した、売却希望の中古パソコンの機種に対応したパソコン機器情報取得プログラムを読み出して端末２ａにダウンロードする（Ｓ４）。
【００３４】
売手ユーザは、サーバ装置１ａのＷｅｂホームページからダウンロードしたパソコン機器情報取得プログラムを売却希望の中古パソコンで実行することにより、その中古パソコンの製造メーカ、機種名、主要機能・性能、機器構成及び付属品等を示す機器情報を取得しリスト化する（Ｓ５）。
【００３５】
そして、売手ユーザは、端末２ａによって仲介業者のＷｅｂホームページにアクセスし、中古パソコンの売却希望の登録を行うために、自分の住所、氏名、連絡先などの個人情報と、上記パソコン機器情報取得プログラムの使用で取得しリスト化した中古パソコンの機器情報と、自分が希望する売却価格などの価格条件を示す売却価格情報とをサーバ装置１ａに入力する（Ｓ６）。
【００３６】
サーバ装置１ａの制御部２５ａは、端末２ａから入力された個人情報と中古パソコンの機器情報と売却価格情報とを売却パソコン情報として売却パソコン情報登録部２１に渡す。売却パソコン情報登録部２１は、端末２ａから入力されたリスト化された機器情報については、複数の中古パソコンの中から、中古パソコンの機器情報をキーワードにして買手ユーザが希望する中古パソコンが容易に検索できるように、中古パソコンの機器情報をデータベース１３ａに格納して登録する。
【００３７】
また、売却パソコン情報登録部２１は、売手ユーザによって登録された売却価格に対して、仲介業者の所定のマージンを加算して仲介業者の販売売価を販売価格情報として設定し、設定した販売価格情報を上記機器情報に関連させてデータベース１３ａに格納し登録する。制御部２５ａは、登録された機器情報及び販売価格情報をＷｅｂホームページ上に公開する。また、売却パソコン情報登録部２１は、売手ユーザの個人情報については、非公開情報として機器情報及び販売価格情報に関連させてデータベース１３ａに格納し登録する（Ｓ７）。
【００３８】
一方、登録された中古パソコンの中から自分の希望するパソコンを選び購入を希望するユーザが、例えば端末３ａを使用する買手ユーザである場合、この買手ユーザは、端末３ａを使用して仲介業者のＷｅｂホームページにアクセスし、Ｗｅｂホームページに掲載される中古パソコン売買仲介の案内画面を閲覧し（Ｓ８）、次に、この買手ユーザは、端末３ａを使用しＷｅｂホームページを介して、サーバ装置１ａのデータベース１３ａに格納された、上記の売却希望の中古パソコンの機器情報及び販売価格情報の検索操作を行うことにより、サーバ装置１ａでは、制御部２５ａの指示により売却パソコン情報検索部２２が、データベース１３ａに格納された、上記の売却希望の中古パソコンの機器情報及び販売価格情報の検索を行う。買手ユーザは、自分が希望する購入価格に近い販売価格の中古パソコンの検索を行ったり、あるいは機器情報に含まれる各種の条件を指定して、例えば中古パソコンに搭載されているプロセッサ性能などを指定して検索を行い、自分の希望した条件に沿った中古パソコンを選ぶ（Ｓ９）。
【００３９】
買手ユーザは、上記検索の結果、自分の希望した条件に沿った中古パソコンを選ぶことができたときに、自分の個人情報と、購入しようとしている希望の中古パソコンの機器情報とを端末３ａからサーバ装置１ａにパソコン購入申込情報として入力する。なお、買手ユーザは、Ｗｅｂホームページ上で検索した中古パソコンの売却パソコン情報には含まれないもので自分が必要と思う、例えばＯＳやアプリケーション・プログラム等のプログラムについて追加すべきものがあるか否かをチェックし、追加すべきプログラムがあるときには、それらのプログラムのインストールなどの、仲介業者に実施してもらう事項をオプションの依頼事項として、上記購入しようとしている中古パソコンの機器情報と一緒に登録する（図４のＳ１０）。
【００４０】
端末３ａから入力されたパソコン購入申込情報は、サーバ装置１ａの制御部２５ａからの制御指示によってパソコン購入申込部２３により、データベース１３ａに格納され登録される（Ｓ１１）。
【００４１】
サーバ装置１ａの制御部２５ａは、上記ステップ１１で行われる買手ユーザのパソコン購入申込みの登録があるか否かを定期的に調べて、買手ユーザの購入申込登録がある場合は、先着順などのあらかじめ決められた購入者選択手順に従って購入者を決定し、購入者と決定した買手ユーザに対して購入者と決定したことを端末３ａに通知する。このとき、サーバ装置１ａの制御部２５ａは、上記オプションの依頼事項の代金も含めた中古パソコンの購入代金、及びその内訳明細を示す購入代金情報を買手ユーザの端末３ａに通知する。また、制御部２５ａは、購入者の確定した中古パソコンの情報を、Ｗｅｂホームページ上で公開している売却パソコン情報の中から削除する（Ｓ１２）。
【００４２】
上記通知を端末３ａで受信した買手ユーザは、Ｗｅｂホームページを利用した電子決済などの方法により、サーバ装置１ａに対して上記中古パソコンの購入代金の支払いのための入金処理を端末３ａで行う（Ｓ１３）。
【００４３】
上記中古パソコンの購入代金の支払いのための入金の通知を受けたサーバ装置１ａでは、制御部２５ａの指示により、代金決済手続処理部２４ａが、端末３ａから上記購入代金が入金されていることを確認すると、制御部２５ａは、売手ユーザの端末２ａに対して、買手ユーザが見つかり購入者として決定したことを通知する（Ｓ１４）。
【００４４】
上記売手ユーザが、売却を希望していた上記中古パソコンを仲介業者に送付するか、あるいは仲介業者により引取りにきてもらうかのいずれかの方法で上記中古パソコンの仲介業者への引き渡しを行い、その旨が端末２ａからサーバ装置１ａに対して行われる（Ｓ１５）。
【００４５】
サーバ装置１ａの制御部２５ａは、端末２ａから上記通知を受け、さらに、上記中古パソコンを売手ユーザから引き渡された仲介業者が上記中古パソコンを点検して、上記中古パソコンが売手ユーザによって登録された機器情報の示す通りのものであるか否かを確認したことをサーバ装置１ｂに入力すると、代金決済手続処理部２４ａに対して、上記中古パソコンの売却代金として登録されていた金額の、売手ユーザに対する支払処理を行わせる（Ｓ１６）。
【００４６】
次に、買手ユーザに購入された中古パソコンの中に売手ユーザにより入力されたままのプライバシー情報が残っていて、後日、そのプライバシー情報が買手ユーザへ漏れてトラブルが発生するなどの問題が起らないように、仲介業者によって上記中古パソコンのパソコンデータの初期化が行われ、さらに、買手ユーザの登録時にＯＳやアプリケーション・プログラムのインストールなどを実施する要求が買手ユーザによって端末３ａから行われていた場合は、買手ユーザから要求のあったＯＳやアプリケーション・プログラムのインストールなどが仲介業者によって実施されて、上記中古パソコンが買手ユーザに配送される（Ｓ１７）。
【００４７】
一方、ステップ１６でサーバ装置１ａから支払われた売却代金を受領した売手ユーザの端末２ａから、売却代金受領の通知がサーバ装置１ａに行われ（Ｓ１８）、買手ユーザの端末３ａからの中古パソコン受領の通知がサーバ装置１ａに行われたとき（Ｓ１９）、中古パソコン売買取引が完了する。
【００４８】
以上で、インターネット４上に開設されたＷｅｂホームページに、売手ユーザが売却したい中古パソコンを、端末を使用して登録し、Ｗｅｂホームページで公開された売手ユーザの売却希望の中古パソコンの中から、買手ユーザも端末を使用して自分が購入したい中古パソコンを検索して購入する、仲介業者の介在により行われる中古パソコン売買取引の一連の手順の説明を終了する。
【００４９】
図５は、本発明の中古パソコン売買仲介システムの第２の実施の一形態を示すブロック図である。
【００５０】
次に、図５に示す第２の実施の形態の中古パソコン売買仲介システムについて説明する。
【００５１】
図５に示す中古パソコン売買仲介システムは、売買の仲介業者が管理するサーバ装置１ｂと、中古パソコンの購入を希望してサーバ装置１ｂに購入希望の中古パソコンを登録する買手ユーザが、インターネット４を介して上記サーバ装置１ｂにアクセスするために使用する複数の端末３ａ〜３ｂと、購入希望の中古パソコンをサーバ装置１ｂに登録している買手ユーザへの、不要になった中古パソコンの売却を希望する売手ユーザが、インターネット４を介して上記サーバ装置１ｂにアクセスするために使用する複数の端末２ａ〜２ｂとを備えて構成される。
【００５２】
図５に示す中古パソコン売買仲介システムは、図５に示すインターネット４上に開設された仲介業者のＷｅｂホームページに、買手ユーザが購入したいと思って登録して公開された中古パソコンの中に、売手ユーザが、売却しようと思っている自分の中古パソコンと同じかあるいは同等のパソコンを検索して見つけ出し、検索によって見つけ出したそのパソコンに該当するパソコンとして自分の中古パソコンの売却の申込みを行うことで、仲介業者による中古パソコンの仲介取引が行われる。
【００５３】
図６は、図５に示すサーバ装置１ｂの構成を示すブロック図である。
【００５４】
図５に示すサーバ装置１ｂは、情報処理を行うＣＰＵ１１ｂと、インターネット４とのインタフェース機能を有するインターネット・インタフェース部１２ｂと、売手ユーザの端末２ａ〜２ｂ及び買手ユーザの端末３ａ〜３ｂからの登録情報を格納するデータベース１３ｂと、端末２ａ〜２ｂにダウンロードされ、売手ユーザが売却しようとしている中古パソコンに搭載されて、中古パソコンに内蔵されているメモリに記憶されたその中古パソコンの機器情報を読み出すためのパソコン機器情報取得プログラムを格納するパソコン機器情報取得プログラム格納部１４とを備えて構成される。
【００５５】
また、ＣＰＵ１１ｂは、図６に示すように、中古パソコンを購入しようとする買手ユーザの住所、氏名、連絡先などの個人情報と、買手ユーザが購入しようとしている中古パソコンの製造メーカ、機種名、主要な機能・性能、機器構成及び付属品等を示す機器情報と、買手ユーザが希望する購入価格を示す購入価格情報とを含む、買手ユーザの端末３ａ〜３ｂにより入力された情報を、購入パソコン情報としてデータベース１３ｂに登録する購入パソコン情報登録部３１と、上記買手ユーザの購入中古パソコンの機器情報や購入価格情報を検索する購入パソコン情報検索部３２と、中古パソコンを売却したいと思っている売手ユーザの住所、氏名、連絡先などの個人情報と、売手ユーザが売却したいと思っている中古パソコンの製造メーカ、機種名、主要な機能・性能、機器構成及び付属品等を示す機器情報とを含む、売手ユーザにより入力された情報を、パソコン売却申込情報として登録するパソコン売却申込部３３と、中古パソコンの仲介取引の成立時に行われる、売買の仲介業者と売手ユーザ及び買手ユーザとの間の、中古パソコン代金の電子決済の手続処理を行うための代金決済手続処理部２４ｂと、上記各部を制御し後述する図７及び図８に示す動作手順を制御する制御部２５ｂとを備えて構成される。
【００５６】
上述したように、サーバ装置１ｂは、機器情報を取得したいパソコンで動作させることによって、そのパソコンの有する、上述した機器情報を出力させることができるプログラムであるパソコン機器情報取得プログラムを保持しているので、売手ユーザの端末２ａ〜２ｂからの要求によってサーバ装置１ｂから売手ユーザの端末２ａ〜２ｂに上記プログラムをダウンロードすることができる。すなわち、売手ユーザは、端末２ａ〜２ｂによってサーバ装置１ｂから上記パソコン機器情報取得プログラムをダウンロードし、売却しようとしている中古パソコンで動作させることで、サーバ装置１ｂに登録する必要のある、売却希望の中古パソコンの機器情報を容易に取得することができる。
【００５７】
次に、動作を説明する。
【００５８】
図７及び図８は、図６に示すサーバ装置１ｂを備えた中古パソコン売買仲介システムにおける中古パソコンの売買の仲介方法の手順を示す流れ図である。
【００５９】
図５に示す中古パソコン売買仲介システムにおいて、中古パソコンの仲介業者は、サーバ装置１ｂにより中古パソコン売買のためのＷｅｂホームページをインターネット４上で開設して、Ｗｅｂホームページに中古パソコンの売手ユーザと買手ユーザとの間の売買仲介上の取り決め手順等の説明の閲覧画面を掲載し、さらに、中古パソコンの買手ユーザに対するサービスとして、買手ユーザが中古パソコンの購入希望の登録をサーバ装置１ｂに行うときに、買手ユーザが入力することを要求される、買手ユーザの個人情報や購入を希望する中古パソコンの機器情報及び購入価格情報等を含む購入パソコン情報についての説明の閲覧画面、及び上記購入パソコンの登録手順等の説明の閲覧画面を掲載する。
【００６０】
また、中古パソコンの売手ユーザに対するサービスとして、中古パソコンの仲介業者は、上述した購入希望の中古パソコンとして登録されている中古パソコン情報の検索についての説明の閲覧画面、検索手順等の閲覧画面、売手ユーザが売却を希望する中古パソコンの機器情報を取得するためのパソコン機器情報取得プログラムについての説明の閲覧画面、そのパソコン機器情報取得プログラムをダウンロードする手順等の説明の閲覧画面、及び売手ユーザが中古パソコンの売却申込の登録をサーバ装置１ｂに行うときに、売手ユーザが入力することを要求される、売手ユーザの個人情報、及び売却を希望する手持の中古パソコンの機器情報等を含むパソコン売却申込情報についての説明の閲覧画面、及び上記売却申込の登録手順等の説明の閲覧画面を掲載する（図７のＳ２１）。
【００６１】
ここで、端末３ｂを所有するユーザが、中古パソコンの購入を希望するユーザであるものとする。この買手ユーザは、端末３ｂを使用して仲介業者のＷｅｂホームページにアクセスし、Ｗｅｂホームページに掲載されている案内画面を閲覧し（Ｓ２２）、次に、買手ユーザは、中古パソコンの購入希望の登録を行うために、買手ユーザの個人情報と、自分が購入を希望する中古パソコンの機器情報と、希望する購入価格などの価格条件を示す購入価格情報とを購入パソコン情報としてサーバ装置１ｂに入力する（Ｓ２３）。
【００６２】
サーバ装置１ｂの制御部２５ｂは、端末３ｂから入力された個人情報と中古パソコンの機器情報と購入価格情報とを購入パソコン情報として購入パソコン情報登録部３１に渡す。購入パソコン情報登録部３１は、中古パソコンの購入を希望する買手ユーザによって入力された中古パソコンの中から、売手ユーザが自分の所持している中古パソコンと同じか同程度のパソコンを容易に検索できるように、中古パソコンの機器情報をデータベース１３ｂに格納して登録する。また、購入パソコン情報登録部３１は、買手ユーザによって入力された購入価格に対して、仲介業者の所定のマージンを差し引いて、仲介業者が売手ユーザから購入するときの購入価格（売手ユーザの売却価格に同じ）を設定し、設定した仲介業者の売手ユーザからの購入価格の情報である購入価格情報を上記機器情報に関連させてデータベース１３ｂに格納し登録する。制御部２５ｂは、登録された機器情報及び購入価格情報をＷｅｂホームページ上に公開する。また、購入パソコン情報登録部３１は、買手ユーザの個人情報については非公開情報として、機器情報及び購入価格情報に関連させてデータベース１３ｂに格納し登録する（Ｓ２４）。
【００６３】
一方、登録された中古パソコンの中から、自分の所有している中古パソコンと同じか同程度のパソコンを検索し、そのパソコンの購入を希望する買手ユーザに自分の中古パソコンを売却しようとしているユーザが、例えば端末２ｂを使用する売手ユーザである場合、この売手ユーザは、端末２ｂを使用して仲介業者のＷｅｂホームページにアクセスし、Ｗｅｂホームページに掲載される中古パソコン売買仲介の案内画面を閲覧する（Ｓ２５）。
【００６４】
次に、この売手ユーザが、端末２ｂを使用しＷｅｂホームページを介して、サーバ装置１ｂのデータベース１３ｂに格納された、買手ユーザによって登録された、買手ユーザの購入したい中古パソコンの機器情報及び購入価格情報の検索操作を行うことにより、サーバ装置１ｂでは、制御部２５ｂの指示により購入パソコン情報検索部３２がデータベース１３ｂに格納された、上記中古パソコンの機器情報及び購入価格情報の検索を行う。売手ユーザは、自分の考えている売却価格に近い購入価格の中古パソコンの検索を行ったり、あるいは機器情報に含まれる各種の条件を指定して、例えば中古パソコンに搭載されているプロセッサ性能などを指定して検索を行い、自分の希望した条件に沿った中古パソコンを選択する（Ｓ２６）。
【００６５】
次に、売手ユーザは、上述した検索の結果、自分の希望した条件に沿った中古パソコンを選択できたときに、端末２ｂを使用して、売却しようとしている中古パソコンのハードウェア情報を取得するためのパソコン機器情報取得プログラムのダウンロード要求をサーバ装置１ｂに行う（Ｓ２７）。
【００６６】
売手ユーザの端末２ｂから要求を受けたサーバ装置１ｂの制御部２５ｂは、パソコン機器情報取得プログラム格納部１４から、売手ユーザが指定し要求した、売却希望の中古パソコンの機種に対応したパソコン機器情報取得プログラムを読み出して端末２ｂにダウンロードする（Ｓ２８）。
【００６７】
そして、売手ユーザは、サーバ装置１ｂのＷｅｂホームページからダウンロードしたパソコン機器情報取得プログラムを、売却しようとしている中古パソコンで実行することにより、その中古パソコンの機器情報を取得しリスト化する（Ｓ２９）。
【００６８】
売手ユーザは、端末２ｂによって仲介業者のＷｅｂホームページにアクセスし、自分の住所、氏名、連絡先などの売手ユーザの個人情報と、上記のパソコン機器情報取得プログラムの使用で取得した中古パソコンの機器情報とを、サーバ装置１ｂにパソコン売却申込情報として入力する（Ｓ３０）。
【００６９】
端末２ｂから入力されたパソコン売却申込情報は、サーバ装置１ｂのパソコン売却申込部３３により、データベース１３ｂに格納され登録される（図８のＳ３１）。
【００７０】
サーバ装置１ｂの制御部２５ａは、上記ステップ３１で行われる売手ユーザのパソコン売却申込の登録があるか否かを定期的に調べて、売手ユーザの登録がある場合は、先着順などのあらかじめ決められた売却者選択手順に従って売却者を決定し買手ユーザに通知する（Ｓ３２）。
【００７１】
買手ユーザは、端末３ｂによって仲介業者のＷｅｂホームページにアクセスし、サーバ装置１ｂから通知のあった、売却者と決定された売手ユーザにより入力された中古パソコンの機器情報を参照し、売却者と決定された売手ユーザの中古パソコンに対して問題がなければ、その旨を端末３ｂからサーバ装置１ｂに通知する。このとき、売却者と決定された売手ユーザの中古パソコンの機器情報には含まれていないもので買手ユーザが自分に必要と思うものがある場合、例えばＯＳやアプリケーション・プログラムについて追加すべきものがある場合には、買手ユーザは、端末３ｂによってそれらのインストールなどの仲介業者に実施してもらう事項をオプションの依頼事項としてサーバ装置１ｂに通知する（Ｓ３３）。
【００７２】
サーバ装置１ｂの制御部２５ｂは、売却者の決定についての買手ユーザからの確認の回答を受けて、売手ユーザの端末２ｂに対して売却者と決定されたことを通知し、また、買手ユーザの端末３ｂに対して、オプションの依頼事項の代金も含めた中古パソコンの購入代金及びその内訳明細を示す購入代金情報を通知する。また、サーバ装置１ｂの制御部２５ｂは、売却者が確定した中古パソコンをＷｅｂホームページ上から削除する（Ｓ３４）。
【００７３】
上記購入代金情報を端末３ｂに受信した買手ユーザは、端末３ｂからＷｅｂホームページを利用した代金の電子決済などの方法により、サーバ装置１ｂに対して上記中古パソコンの購入代金の支払いのための入金を行い、その旨をサーバ装置１ｂに対して通知する（Ｓ３５）。
【００７４】
上記中古パソコンの購入代金の支払いのための入金の通知を端末３ｂから受けたサーバ装置１ｂでは、制御部２５ｂの指示により、代金決済手続処理部２４ｂが、端末３ｂから上記購入代金が入金されていることを確認すると、制御部２５ｂは、上記中古パソコンの売手ユーザの端末２ｂに対して、売却中古パソコンの引き渡し要求を通知する（Ｓ３６）。
【００７５】
サーバ装置１ｂから端末２ｂに売却中古パソコンの引き渡し要求の通知を受けた上記売手ユーザは、売却中古パソコンを仲介業者に送付するか、あるいは仲介業者により引取りにきてもらうかのいずれかの方法で上記中古パソコンの仲介業者への引き渡しを行い、その旨が端末２ｂからサーバ装置１ｂに対して通知される（Ｓ３７）。
【００７６】
サーバ装置１ｂの制御部２５ｂは、端末２ｂから上記通知を受け、さらに、上記中古パソコンを売手ユーザから引き渡された仲介業者が上記中古パソコンを点検して、上記中古パソコンが売手ユーザによって登録された機器情報の示す通りのものであるか否かを確認したことをサーバ装置１ｂに入力すると、代金決済手続処理部２４ｂに対して、上記中古パソコンの購入価格として登録されていた金額から仲介業者のマージンを差し引いた金額の、売手ユーザに対する支払処理を行わせる（Ｓ３８）。
【００７７】
買手ユーザに購入された中古パソコンの中に売手ユーザにより入力されたままのプライバシー情報が残っていて、後日、そのプライバシー情報が買手ユーザへ漏れてトラブルが発生するなどの問題が起らないように、仲介業者によって上記中古パソコンのパソコンデータの初期化が行われ、さらに、買手ユーザの登録時にＯＳやアプリケーション・プログラムのインストールなどを実施する要求が買手ユーザによって行われていた場合は、買手ユーザから要求のあったＯＳやアプリケーション・プログラムのインストールなどが仲介業者によって実施されて、上記中古パソコンは買手ユーザに配送される（Ｓ３９）。
【００７８】
一方、ステップ３８でサーバ装置１ｂから支払われた売却代金を受領した売手ユーザの端末２ｂから、売却代金受領の通知がサーバ装置１ｂに行われ（Ｓ４０）、買手ユーザの端末３ｂからの中古パソコン受領の通知がサーバ装置１ｂに行われたとき（Ｓ４１）、中古パソコン売買取引が完了する。
【００７９】
以上で、インターネット４上に開設されたＷｅｂホームページに、買手ユーザが購入したい中古パソコンを端末３ｂを使用して登録し、Ｗｅｂホームページで公開された買手ユーザの購入希望中古パソコンの中から、売手ユーザが、自分の売却したい中古パソコンと同じか同等の中古パソコンを検索して売却する、仲介業者が介在して行われる中古パソコン売買取引の一連の手順の説明を終了する。
【００８０】
上記の説明では、買手ユーザに購入されることになった中古パソコンに、売手ユーザにより入力されたままのプライバシー情報が残っていて、後日、そのプライバシー情報が買手ユーザへ漏れてトラブルが発生するなどの問題が起らないようにするため、仲介業者から売手ユーザに配送される前に、仲介業者によって上記中古パソコンのパソコンデータの初期化が行われることで説明したが、このパソコンデータの初期化を仲介業者が行うのではなく、売手ユーザが仲介業者に中古パソコンを渡す前に、パソコン機器情報取得プログラムのダウンロードと同様に、仲介業者が管理するサーバ装置から、パソコンデータの初期化を行うためのプログラムをダウンロードし、ダウンロードした、パソコンデータの初期化を行うためのプログラムを用いて、売却する中古パソコンのパソコンデータの初期化を行うようにしてもよい。
【００８１】
【発明の効果】
以上説明したように、本発明の中古パソコンの売買仲介及びその方法は、中古パソコンの機器情報を取得することができるパソコン機器情報取得プログラムを通信ネットワーク上のサーバに格納しておき、売手ユーザが売却を希望する中古パソコンの登録を行うときに、パソコン機器情報取得プログラムをサーバから読出して、売手ユーザのユーザ端末にダウンロードし売却対象の中古パソコンで動作させて中古パソコンから機器情報を取得し、取得した機器情報を登録に用いるようにし、また、売却対象の中古パソコンが買手ユーザに配送される前に、この中古パソコンに入力されているデータを初期化する処置を行ってから配送されるようにすることにより、買手ユーザが購入した中古パソコンの実物の機能・性能等が仲介業者のホームページで確認した機能・性能に相違するようなことがなく、また、買手ユーザに売手ユーザのプライベート情報が漏れるような事態を防ぐことができるという効果を有している。
【図面の簡単な説明】
【図１】本発明の中古パソコン売買仲介システムの第１の実施の一形態を示すブロック図である。
【図２】図１に示すサーバ装置１ａの構成を示すブロック図である。
【図３】図４とともに、図２に示すサーバ装置を備えた中古パソコン売買仲介システムにおける中古パソコンの売買の仲介方法の手順を示す流れ図である。
【図４】図３とともに、図２に示すサーバ装置を備えた中古パソコン売買仲介システムにおける中古パソコンの売買の仲介方法の手順を示す流れ図である。
【図５】本発明の中古パソコン売買仲介システムの第２の実施の一形態を示すブロック図である。
【図６】図５に示すサーバ装置１ｂの構成を示すブロック図である。
【図７】図８とともに、図６に示すサーバ装置を備えた中古パソコン売買仲介システムにおける中古パソコンの売買の仲介方法の手順を示す流れ図である。
【図８】図７とともに、図６に示すサーバ装置を備えた中古パソコン売買仲介システムにおける中古パソコンの売買の仲介方法の手順を示す流れ図である。
【符号の説明】
１ａ、１ｂ　　サーバ装置
２ａ〜２ｂ　　端末
３ａ〜３ｂ　　端末
４　　インターネット
１１ａ、１１ｂ　　ＣＰＵ
１２ａ、１２ｂ　　インターネット・インタフェース部
１３ａ、１３ｂ　　データベース
１４　　パソコン機器情報取得プログラム格納部
２１　　売却パソコン情報登録部
２２　　売却パソコン情報検索部
２３　　パソコン購入申込部
２４ａ、２４ｂ　　代金決済手続処理部
２５ａ、２５ｂ　　制御部
３１　　購入パソコン情報登録部
３２　　購入パソコン情報検索部
３３　　パソコン売却申込部
【図１】
2004046710.tif 000003
【図２】
2004046710.tif 000004
【図３】
2004046710.tif 000005
【図４】
2004046710.tif 000006
【図５】
2004046710.tif 000007
【図６】
2004046710.tif 000008
【図７】
2004046710.tif 000009
【図８】
2004046710.tif 000010